(57)【要約】【課題】注意深い操作をユーザへ強いる必要を無くすことができる撮像装置を提供する。【解決手段】撮像装置操作部２０５が操作された際に、レンズリング２１５が予め撮像装置１００に設定されている閾値時間Ｔｍａｘよりも長い時間、継続して変位する場合、単位時間計時タイマが１カウントダウンしたときのレンズリング２１５の変位方向及び単位時間計時タイマがさらに１カウントダウンしたときのレンズリング２１５の変位方向が同一でない場合、又はレンズリング２１５の積算変位量ΔＩが予め撮像装置１００に設定されている変位量閾値ΔＬｉｍ以上である場合、撮像装置操作部２０５において受け付けた操作に基づく撮像装置１００の設定の変更を無効にする。【選択図】図３
2017083627.tif 000002
【特許請求の範囲】
【請求項１】
撮影レンズと、該撮影レンズが取り付けられる本体と、前記撮影レンズを囲む様に配置された第１の操作部と、前記本体に配置された第２の操作部とを備える撮像装置において、
前記第２の操作部が操作されている際に前記第１の操作部へ所定の操作がなされたか否かを判別する判別手段と、
前記第２の操作部が操作されている際に前記第１の操作部へ所定の操作がなされたと判別されたとき、前記第２の操作部へなされた操作を無効化する無効化手段とを備えることを特徴とする撮像装置。
【請求項２】
前記所定の操作は一定の時間以上に亘って継続された操作であることを特徴とする請求項１記載の撮像装置。
【請求項３】
前記第１の操作部は環状構造であり、
前記所定の操作は前記第１の操作部を回転させる操作であることを特徴とする請求項１記載の撮像装置。
【請求項４】
前記所定の操作は、単位時間あたりの前記第１の操作部に対する操作量が一定量以上の操作であることを特徴とする請求項１記載の撮像装置。
【請求項５】
前記所定の操作は、単位時間あたりの前記第１の操作部への操作量から換算された変位角度に対する前記撮像装置の変位量から換算された回転角度の比率が所定の値以上の操作であることを特徴とする請求項１記載の撮像装置。
【請求項６】
前記本体は前記第２の操作部が配置される配置面を備え、前記配置面は第１の領域及び前記第１の領域の外縁に配置される第２の領域を有し、前記第２の操作部は前記第２の領域に配置されることを特徴とする請求項１乃至５のいずれか１項に記載の撮像装置。
【請求項７】
前記第２の操作部が操作されている際に、前記第１の領域へユーザが触れたか否かを検出する検出手段をさらに備え、
前記第２の操作部が操作されている際に、前記第１の領域へユーザが触れたことが検出されたとき、前記第２の操作部へなされた操作は無効化されることを特徴とする請求項６記載の撮像装置。
【請求項８】
前記第２の操作部が操作されている際に前記第２の操作部においてユーザが触れた領域を検出する他の検出手段と、
前記検出された領域の面積が所定の面積以上か否かを判別する他の判別手段とをさらに備え、
前記検出された領域の面積が所定の面積以上と判別されたとき、前記第２の操作部へなされた操作は無効化されることを特徴とする請求項１乃至７のいずれか１項に記載の撮像装置。
【請求項９】
前記撮像装置に被写体を撮影する撮影モードを設定する設定手段をさらに備え、
前記無効化手段は前記撮影モードが設定されているときに前記第２の操作部へなされた操作を無効化することを特徴とする請求項１乃至８のいずれか１項に記載の撮像装置。
【請求項１０】
撮影レンズと、該撮影レンズが取り付けられる本体と、前記撮影レンズを囲む様に配置された第１の操作部と、前記本体に配置された第２の操作部とを備える撮像装置の制御方法であって、
前記第２の操作部が操作されている際に前記第１の操作部へ所定の操作がなされたか否かを判別する判別ステップと、
前記第２の操作部が操作されている際に前記第１の操作部へ所定の操作がなされたと判別されたとき、前記第２の操作部へなされた操作を無効化する無効化ステップとを有することを特徴とする撮像装置の制御方法。
【請求項１１】
撮影レンズと、該撮影レンズが取り付けられる本体と、前記撮影レンズを囲む様に配置された第１の操作部と、前記本体に配置された第２の操作部とを備える撮像装置の制御方法をコンピュータに実行させるプログラムであって、
前記撮像装置の制御方法は、
前記第２の操作部が操作されている際に前記第１の操作部へ所定の操作がなされたか否かを判別する判別ステップと、
前記第２の操作部が操作されている際に前記第１の操作部へ所定の操作がなされたと判別されたとき、前記第２の操作部へなされた操作を無効化する無効化ステップとを有することを特徴とするプログラム。
【発明の詳細な説明】
【技術分野】
【０００１】
本発明は、レンズリングを備える撮像装置、撮像装置の制御方法、及びプログラムに関する。
【背景技術】
【０００２】
従来より、複数のハードキーや可動式且つタッチパネル式の液晶ディスプレイを備え、液晶ディスプレイに複数のソフトキーが表示される撮像装置が知られている。このような撮像装置において、ユーザは、例えば、被写体を撮影する際に液晶ディスプレイを撮像装置の本体に対して変位させるとき、ハードキーや液晶ディスプレイに表示されるソフトキー（以下、「操作部」という。）を無意識に押下する場合がある。無意識に操作部が押下されると、ユーザが意図しない撮像装置の設定変更が実行される。意図しない設定変更の実行を防止するために、操作部が押下された後、所定の時間が経過するまでに撮像装置の本体に対して液晶ディスプレイを変位させたときには操作部押下に起因する設定変更を無効化する撮像装置が知られている（例えば、特許文献１参照）。
【０００３】
ところで、複数のソフトキーを表示する液晶ディスプレイや複数のハードキーを備える一方、ミラーやペンタリズム、又は光学式ファインダ等を備えない小型の撮像装置が知られている。当該小型の撮像装置として、例えば、レンズリングを備える撮像装置が知られている。この撮像装置では、ユーザがレンズリングを操作して、例えば、構図を決定し、被写体を撮影する。
【先行技術文献】
【特許文献】
【０００４】
【特許文献１】特許第３８２９９３７号
【発明の概要】
【発明が解決しようとする課題】
【０００５】
しかしながら、レンズリングを備える撮像装置では、レンズリングが撮影レンズを囲む様に配置されるため、レンズリングを操作する際、撮像装置の本体をしっかりと保持する必要がある。その結果、レンズリングの操作中に操作部が無意識に押下される場合がある。この場合も、当該撮像装置においてユーザが意図しない撮像装置の設定変更が実行される。したがって、ユーザが意図しない撮像装置の設定変更が実行されないように注意深い操作をユーザへ強いる必要があるという問題があった。
【０００６】
本発明の目的は、注意深い操作をユーザへ強いる必要を無くすことができる撮像装置、撮像装置の制御方法、及びプログラムを提供することにある。
【課題を解決するための手段】
【０００７】
上記目的を達成するために、本発明の撮像装置は、撮影レンズと、該撮影レンズが取り付けられる本体と、前記撮影レンズを囲む様に配置された第1の操作部と、前記本体に配置された第２の操作部とを備える撮像装置において、前記第２の操作部が操作されている際に前記第１の操作部へ所定の操作がなされたか否かを判別する判別手段と、前記第２の操作部が操作されている際に前記第１の操作部へ所定の操作がなされたと判別されたとき、前記第２の操作部へなされた操作を無効化する無効化手段とを備えることを特徴とする。
【発明の効果】
【０００８】
本発明によれば、注意深い操作をユーザへ強いる必要を無くすことができる。
【図面の簡単な説明】
【０００９】
【図１】本発明の実施の形態に係る撮像装置の構成を概略的に示す図である。
【図２】図１における撮像装置本体及び撮影レンズの内部構成を概略的に示すブロック図である。
【図３】図２における撮像装置操作部及びレンズリングが操作された際に撮像装置操作部になされた操作がユーザによって無意識になされた操作であるか否かを判別する判別処理の手順を示すフローチャートである。
【発明を実施するための形態】
【００１０】
以下、本発明の実施の形態について図面を参照しながら詳述する。
【００１１】
図１は、本発明の実施の形態に係る撮像装置１００の構成を概略的に示す図である。図１（Ａ）は撮像装置１００の正面側斜視図であり、図１（Ｂ）及び図１（Ｃ）は撮像装置１００の背面側斜視図である。
【００１２】
図１の撮像装置１００は撮像装置本体１０１、撮影レンズ１０２、ディスプレイ１０３、電源スイッチ／撮影モード設定スイッチ１０４、レリーズスイッチ１０５、ダイヤルスイッチ１０６、及びハードキー１０７を備える。ディスプレイ１０３には複数のソフトキー１０８を表示することができる。また、撮影レンズ１０２はレンズリングとしてフォーカスリング１０９、ズームリング１１０、及び絞りリング１１１を有する。
【００１３】
ディスプレイ１０３は、例えば、撮像装置１００の設定情報等を表示する。また、ディスプレイ１０３は、タッチパネルディスプレイであり、ソフトキー１０８を表示し、ユーザがソフトキー１０８を操作したとき、ユーザの操作に応じた指示を受け付ける。電源スイッチ／撮影モード設定スイッチ１０４は電源のＯＮ／ＯＦＦ時に押下される。また、電源スイッチ／撮影モード設定スイッチ１０４は全自動で被写体を撮影するオート撮影モードや被写体を撮影するときの明るさに応じてシャッター速度及び絞りを自動的に決定するプログラムＡＥモード等の撮影モードが設定されるときに押下される。さらに、電源スイッチ／撮影モード設定スイッチ１０４は夜景を背景にして被写体を撮影する場合や紅葉を背景にして被写体を撮影する場合等の撮影シーンに応じて使用されるシーンモードが設定されるときに押下される。
【００１４】
レリーズスイッチ１０５が半押しされたときには、被写体に焦点を合わせる合焦処理が実行され、全押しされたときには、被写体を撮影する撮影処理が実行される。ダイヤルスイッチ１０６では、例えば、ディスプレイ１０３に複数のシーンモードが表示されているとき、回転又は上下左右方向への押下によってユーザの所望するシーンモードが選択される。ユーザが所望するシーンモードを選択してダイヤルスイッチ１０６を押下すると、撮影時のシーンモードとしてユーザが選択したシーンモードが撮像装置１００に設定される。
【００１５】
ハードキー１０７が押下されると、例えば、カメラの設定条件を変更する際に表示されるメニュー画面がディスプレイ１０３に表示される。また、ハードキー１０７はディスプレイ１０３に表示されたメニュー画面を操作するときに押下される。フォーカスリング１０９、ズームリング１１０、及び絞りリング１１１は、いずれも、撮影レンズ１０２を囲むように配置された環状構造のレンズリングである。フォーカスリング１０９はユーザが被写体に焦点を合わせるときに操作される。ズームリング１１０はユーザが被写体の拡大倍率を変更するときに操作される。絞りリング１１１は撮像装置１００に取り込まれる光束量を調節するときに操作される。ユーザはフォーカスリング１０９、ズームリング１１０、及び絞りリング１１１を回転させて操作する。
【００１６】
撮像装置１００の背面、すなわち、ディスプレイ１０３を有する面（配置面）はスイッチ等不存在領域１１２及びスイッチ等不存在領域１１２の外縁に配置されるスイッチ等存在領域１１３を有する（図１（Ｃ））。スイッチ等不存在領域１１２はダイヤルスイッチ１０６及びハードキー１０７が配置されていない領域であり、且つソフトキー１０８がディスプレイ１０３に表示されていない領域である。したがって、ユーザがスイッチ等不存在領域１１２に接触しても撮像装置１００の設定等は変更されない。スイッチ等存在領域１１３はダイヤルスイッチ１０６及びハードキー１０７が配置され、且つソフトキー１０８がディスプレイ１０３に表示されている領域である。
【００１７】
図２は、図１における撮像装置本体１０１及び撮影レンズ１０２の内部構成を概略的に示すブロック図である。
【００１８】
撮像装置本体１０１はディスプレイ１０３、ＣＰＵ２０１、プログラムＲＯＭ２０２、メモリ２０３、及びレンズ通信部２０４を備える。さらに、撮像装置本体１０１はダイヤルスイッチ１０６、ハードキー１０７、及びソフトキー１０８からなる撮像装置操作部２０５を備える。これらの構成要素は内部バス２０６を介して互いに接続されている。
【００１９】
また、撮影レンズ１０２はＣＰＵ２１１、プログラムＲＯＭ２１２、メモリ２１３、及びカメラ通信部２１４、並びに、フォーカスリング１０９、ズームリング１１０、及び絞りリング１１１からなるレンズリング２１５を備える。これらの構成要素は内部バス２１６を介して互いに接続されている。
【００２０】
ＣＰＵ２０１は撮像装置本体１０１の動作を制御する。また、ＣＰＵ２０１は撮像装置操作部２０５を介してユーザからの指示を受け付け、プログラムＲＯＭ２０２に格納されているプログラムを実行する。さらに、ＣＰＵ２０１はディスプレイ１０３の表示を制御する。プログラムＲＯＭ２０２は、例えば、撮像装置本体１０１の起動処理を実行するためのプログラム等を格納する。また、プログラムＲＯＭ２０２は、例えば、後述のバックアップデータＤを格納する。メモリ２０３はＣＰＵ２０１のワークメモリである。レンズ通信部２０４は制御指示を撮影レンズ１０２に送信し、又は撮影レンズ１０２から撮影レンズ１０２の情報、例えば、撮影レンズ１０２の種類や撮影レンズ１０２の固有の識別番号を受信する。また、レンズ通信部２０４はレンズリング２１５の情報、例えば、各リングの直径や周長を受信する。
【００２１】
ＣＰＵ２１１は撮影レンズ１０２の動作を制御する。また、ＣＰＵ２１１はカメラ通信部２１４を介して撮像装置本体１０１との通信を実行する。さらに、ＣＰＵ２１１はレンズリング２１５の回転を検出する。プログラムＲＯＭ２１２は、例えば、ＣＰＵ２１１の動作処理に関するプログラムや各種データを格納する。メモリ２１３はＣＰＵ２０１のワークメモリである。
【００２２】
図３は、図２における撮像装置操作部２０５及びレンズリング２１５が操作された際に撮像装置操作部２０５になされた操作がユーザによって無意識になされた操作であるか否かを判別する判別処理の手順を示すフローチャートである。図３の処理はＣＰＵ２０１によって実行される。
【００２３】
図３において、まず、撮像装置操作部２０５が操作されたか否かを判別する（ステップＳ３０１）。ステップＳ３０１の判別の結果、撮像装置操作部２０５が操作されていないとき、ステップＳ３０１に戻る。一方、撮像装置操作部２０５が操作されたとき、撮像装置操作部２０５が操作される前の撮像装置本体１０１の設定情報を含むバックアップデータＤを作成してプログラムＲＯＭ２０２に格納する（ステップＳ３０２）。
【００２４】
次いで、撮像装置操作部２０５の操作を受け付け、受け付けた操作に基づいて撮像装置１００の設定等を変更し、撮像装置操作部２０５が操作された旨の情報をメモリ２０３に格納する（ステップＳ３０３）。その後、レンズリング２１５が操作されている時間をカウントアップ方式で計時するためのタイマ（以下、「操作時間計時タイマ」という。）を０にセットする（ステップＳ３０４）。続くステップＳ３０５において、レンズリング２１５が操作されることによって変位しているか否かを判別する。
【００２５】
ステップＳ３０５の判別の結果、レンズリング２１５が変位していないとき、ユーザが意図的に撮像装置操作部２０５を操作したと判断し、本処理を終了する。一方、レンズリング２１５が変位しているとき、操作時間計時タイマのカウントアップを開始する（ステップＳ３０６）。その後、レンズリング２１５が継続的に変位している時間（以下、「積算変位時間Ｔ」という。）が予め撮像装置１００に設定されている閾値時間Ｔｍａｘを超えたか否かを判別する（ステップＳ３０７）。
【００２６】
ステップＳ３０７の判別の結果、積算変位時間Ｔが閾値時間Ｔｍａｘを超えたとき、レンズリング２１５に対する操作はユーザによる意図的な操作である可能性が高く、撮像装置操作部２０５に対する操作は無意識になされた可能性が非常に高い。これに対応して、バックアップデータＤを撮像装置１００に反映して（ステップＳ３０８）本処理を終了する。すなわち、撮像装置操作部２０５において受け付けた操作に基づく撮像装置１００の設定の変更を無効にし、本処理を終了する。
【００２７】
一方、積算変位時間Ｔが閾値時間Ｔｍａｘを超えていないとき、単位時間当たりのレンズリング２１５の変位量を測定するために、カウントダウン方式で単位時間を計時する単位時間計時タイマに所定の時間Ｔａをセットする（ステップＳ３０９）。単位時間計時タイマにセットされる所定の時間Ｔａは撮像装置１００に適宜設定することができ、例えば、１０ｍｓ、１０フィールド、又は１０フレーム等を設定することができる。本実施の形態では、所定の時間Ｔａに２ｍｓがセットされ、１カウントダウン毎に１ｍｓを計時する単位時間計時タイマが使用される。
【００２８】
続くステップＳ３１０では、レンズリング２１５の積算変位量ΔＩ（操作量）を０にセットする。レンズリング２１５の積算変位量ΔＩとは単位時間計時タイマの１カウントダウン当たりのレンズリング２１５の変位量ΔＲの積算値である。レンズリング２１５の変位量ΔＲは、例えば、レンズリング２１５上の一の点が変位した距離であってもよく、変位前のレンズリング２１５上の一の点、レンズリング２１５の中心点、及び変位後のレンズリング２１５上の一の点からなる角度であってもよい。
【００２９】
単位時間計時タイマがカウントダウンを開始すると、単位時間計時タイマが所定の時間Ｔａの計時が完了するまで１カウント毎にレンズリング２１５の変位量ΔＲを測定するとともに、レンズリング２１５の変位方向を検出する。レンズリング２１５の変位方向とは、レンズリング２１５が回転する方向である。本実施の形態では、レンズリング２１５は光軸を中心に回転し、光軸方向に関する被写体側から撮像装置１００を眺めたときに時計回りの方向又は反時計回りの方向に回転する。
【００３０】
まず、単位時間計時タイマのカウントダウン開始後、１カウントが計時されたときの変位量ΔＲ（以下、「（Ｔａ−１）変位量ΔＲ」という。）を測定する（ステップＳ３１１）。次いで、（Ｔａ−１）変位量ΔＲが測定されたときのレンズリング２１５の変位方向（以下、「（Ｔａ−１）変位方向」という。）を検出する（ステップ３１２）。その後、さらに１カウントが計時されたときの変位量ΔＲ（以下、「（Ｔａ−２）変位量ΔＲ」という。）を測定する（ステップＳ３１３）。次いで、（Ｔａ−２）変位量ΔＲが測定されたときのレンズリング２１５の変位方向（以下、「（Ｔａ−２）変位方向」という。）を検出する（ステップ３１４）。その後、検出された（Ｔａ−１）変位方向と（Ｔａ−２）変位方向が同一であるか否かを判別する（ステップＳ３１５）。
【００３１】
検出された（Ｔａ−１）変位方向と（Ｔａ−２）変位方向が同一でないとき、すなわち、レンズリング２１５の変位方向が短時間で変化したとき、レンズリング２１５に対する操作はユーザによる意図的な操作である可能性が高い。したがって、撮像装置操作部２０５に対する操作は無意識になされた可能性が非常に高いと判断し、ステップＳ３０８に進む。一方、検出された（Ｔａ−１）変位方向と（Ｔａ−２）変位方向が同一であるとき、（Ｔａ−１）変位量ΔＲ及び（Ｔａ−２）変位量ΔＲを積算してレンズリング２１５の積算変位量ΔＩを算出する（ステップＳ３１６）。
【００３２】
次いで、単位時間計時タイマのカウントダウンが終了したことを確認する。その後、積算変位量ΔＩ及び予め撮像装置１００に設定されている変位量閾値ΔＬｉｍを比較し、積算変位量ΔＩが変位量閾値ΔＬｉｍ以上（一定量以上）であるか否かを判別する（ステップＳ３１７）。積算変位量ΔＩが変位量閾値ΔＬｉｍ以上である場合は、レンズリング２１５を単一の方向に一気に操作した場合に他ならない。すなわち、このときのレンズリング２１５に対する操作はユーザによる意図的な操作である可能性が高い。したがって、積算変位量ΔＩが変位量閾値ΔＬｉｍ以上であるときの撮像装置操作部２０５に対する操作は無意識になされた可能性が非常に高いと判断し、ステップＳ３０８に進む。
【００３３】
一方、積算変位量ΔＩが変位量閾値ΔＬｉｍ未満であるとき、レンズリング２１５の変位角度ΦＬを算出する（ステップＳ３１８）。変位角度ΦＬは、単位時間計時タイマのカウントダウン開始時のレンズリング２１５上の一の点、レンズリング２１５の中心点、及び単位時間計時タイマのカウントダウン終了時のレンズリング２１５上の一の点からなる角度に基づいて算出される。なお、変位角度ΦＬは、単位時間計時タイマのカウントダウン開始時から単位時間計時タイマのカウントダウン終了時までにレンズリング２１５上の一の点が変位した距離と操作されたレンズリング２１５の直径に基づいて算出されてもよい。次いで、撮像装置本体１０１の変位量として、例えば、撮像装置本体１０１が備える不図示のジャイロセンサによって計測された撮像装置本体１０１の回転角度ΦＣを取得する（ステップＳ３１９）。
【００３４】
続くステップＳ３２０において、変位角度ΦＬに対する回転角度ΦＣの比率が予め撮像装置１００に設定されている変位閾値α以上（所定の値以上）であるか否かを判別する。変位角度ΦＬに対する回転角度ΦＣの比率が変位閾値α以上である場合は以下のような場合である。例えば、ユーザの左手でレンズリング２１５を操作する力が、右手で撮像装置本体１０１を保持する力よりも大きく、撮像装置本体１０１がレンズリング２１５の操作方向と同一の方向に回転する場合である。このとき、レンズリング２１５に対する操作はユーザによる意図的な操作である可能性が高い。したがって、ステップＳ３２０の判別の結果、変位角度ΦＬに対する回転角度ΦＣの比率が変位閾値α以上であるとき、撮像装置操作部２０５に対する操作は無意識になされた可能性が非常に高いと判断し、ステップＳ３０８に進む。
【００３５】
一方、変位角度ΦＬに対する回転角度ΦＣの比率が変位閾値α未満である場合は、例えば、撮像装置本体１０１を三脚に固定させて撮影する場合に該当する。したがって、このときの撮像装置操作部２０５やレンズリング２１５に対する操作はユーザによる意図的な操作である可能性が高いと判断し、本処理を終了する。
【００３６】
図３の処理によれば、撮像装置操作部２０５が操作された際に積算変位時間Ｔが閾値時間Ｔｍａｘを超えるレンズリング２１５への操作（ステップＳ３０７でＹＥＳ）がなされたとき、バックアップデータＤが撮像装置１００に反映される（ステップＳ３０８）。また、撮像装置操作部２０５が操作された際に（Ｔａ−１）変位方向と（Ｔａ−２）変位方向が同一でないレンズリング２１５への操作（ステップＳ３１５でＮＯ）がなされたとき、バックアップデータＤが撮像装置１００に反映される。さらに、撮像装置操作部２０５が操作された際に積算変位量ΔＩが変位量閾値ΔＬｉｍ以上となるレンズリング２１５への操作（ステップＳ３１７でＹＥＳ）がなされたとき、バックアップデータＤが撮像装置１００に反映される。また、撮像装置操作部２０５が操作された際に変位角度ΦＬに対する回転角度ΦＣの比率が変位閾値α以上となるレンズリング２１５への操作（ステップＳ３２０でＹＥＳ）がなされたとき、バックアップデータＤが撮像装置１００に反映される。換言すれば、撮像装置操作部２０５が操作された際にレンズリング２１５へ上記いずれかの操作がなされたとき、撮像装置操作部２０５へなされた操作が無効化される。撮像装置操作部２０５が操作された際にレンズリング２１５へ上記いずれかの操作がなされた場合は、ユーザがレンズリング２１５を意図的に操作するために本体をしっかりと保持した結果、無意識に撮像装置操作部２０５を操作した場合である可能性が高い。したがって、このような場合に撮像装置操作部２０５へなされた操作を無効化することにより、ユーザが意図しない撮像装置１００の設定変更が実行されるのを防止することができる。その結果、ユーザが意図しない撮像装置の設定変更が実行されないように注意深い操作をユーザへ強いる必要を無くすことができる。
【００３７】
本実施の形態では、撮像装置操作部２０５はスイッチ等存在領域１１３に配置される。したがって、撮像装置操作部２０５が無意識に操作される可能性は高くなるが、撮像装置操作部２０５が操作された際にレンズリング２１５へ上記いずれかの操作がなされたとき、無意識に撮像装置操作部２０５へなされた操作は無効化される。これにより、撮像装置操作部２０５が無意識に操作されやすい位置に配置されていても注意深い操作をユーザへ強いる必要を無くすことができる。
【００３８】
また、図３の処理では、撮像装置操作部２０５が操作されたか否かを判断した後に、レンズリング２１５が操作されることによって変位しているか否かを判断した。しかしながら、レンズリング２１５が操作されることによって変位している間に、撮像装置操作部２０５が操作されたか否かを判断してもよい。この場合、レンズリング２１５が操作されることによって変位している間に撮像装置操作部２０５に対して行われた操作を無効にする。
【００３９】
図３の処理において、撮像装置操作部２０５が操作された際に、スイッチ等不存在領域１１２へユーザが触れたことが検出されたとき、バックアップデータＤが撮像装置１００に反映されてもよい。通常、ユーザは撮像装置操作部２０５を意図的に操作するときにはスイッチ等不存在領域１１２に接触しない。すなわち、撮像装置操作部２０５が操作された際にスイッチ等不存在領域１１２へユーザが触れたとき、撮像装置操作部２０５へなされた操作は無意識でなされた可能性が非常に高いが、このような無意識の操作を確実に無効化することができる。
【００４０】
また、図３の処理において、撮像装置操作部２０５が操作された際に、撮像装置操作部２０５においてユーザが触れた領域の面積が所定の面積以上のとき、バックアップデータＤが撮像装置１００に反映されてもよい。ユーザが意図的に撮像装置操作部２０５を操作するとき、通常、撮像装置操作部２０５においてユーザが触れる領域の面積は所定の面積未満となる。したがって、撮像装置操作部２０５においてユーザが触れた領域の面積が所定の面積以上のときは撮像装置操作部２０５へなされた操作は無意識でなされた可能性が非常に高いが、このような無意識の操作を確実に無効化することができる。
【００４１】
図３の処理は、オート撮影モードやプログラムＡＥモード等の撮影モードが設定されているときに実行されてもよい。すなわち、撮影モードが設定されているときに判別処理が実行され、レンズリング２１５へなされた操作に応じて撮像装置操作部２０５へなされた操作は無効化される。撮影モードが設定されて被写体が撮影されるときに撮像装置操作部２０５へ無意識で操作がなされる可能性が高くなるが、このような無意識の操作を確実に無効化することができる。
【００４２】
以上、本発明の実施の形態について説明したが、本発明はこれらの実施の形態に何ら限定されるものではない。
【００４３】
本発明は上述の実施の形態の１以上の機能を実現するプログラムをネットワーク又は記憶媒体を介してシステム又は装置に供給し、そのシステム又は装置のコンピュータにおける１以上のプロセッサーがプログラムを読み出して実行する処理でも実現可能である。また、本発明は、１以上の機能を実現する回路（例えば、ＡＳＩＣ）によっても実現可能である。
【符号の説明】
【００４４】
１００  撮像装置
１０１  撮像装置本体
１０２  撮影レンズ
２０１  ＣＰＵ
２０５  撮像装置操作部
２１５  レンズリング
【図１】
2017083627.tif 000003
【図２】
2017083627.tif 000004
【図３】
2017083627.tif 000005